(57)【要約】【課題】照明器具において、外部への放射光全てを誘虫性の低い放射光とすることで、放熱性を維持したまま、点灯しても昆虫を誘引することがないようにする。【解決手段】照明器具は、光源１１と、光源１１を収める器具外郭１２と、放射光を外部に出射する開口部１３と、光源１１から外部へ放射光が直射するのを防ぐ直射防止部１５と、誘虫性がある波長が４１０ｎｍ以下の短波長光を除去する選択カット部１６を備えている。選択カット部１６は、放射光が開口部１３から出射されるまでに少なくとも一回は放射光を反射するように設けられ、投光開口１３ａに向かう放射光は、選択カット部１６である透光パネル１６ａにより短波長光を除去されて投光される。また、放熱孔１３ｂから放射される放射光は、器具外郭１２の内面に設けられた選択カット部１６で短波長光を除去されている。全ての開口部１３からは誘虫性の低い放射光が放射されるので、昆虫を誘引しない。【選択図】図１
2006210079.tif 000002
【特許請求の範囲】
【請求項１】
光源と、この光源を収める器具外郭と、この器具外郭に設けられ、前記光源からの放射光を前記器具外郭の外部に出射する開口部とを備えた照明器具において、
前記光源からの前記放射光の前記器具外郭外への直接放射を防止する直射防止部を光源と開口部との間に設けると共に、
光源からの放射光を反射する非透過部材又は透過させる透過部材からなり、光源と開口部との間に位置して前記放射光が前記開口部から出射するまでに少なくとも一回は照射され、前記放射光が反射又は透過するときに波長が４１０ｎｍ以下の短波長光を除去する選択カット部を設け、
前記放射光が前記選択カット部により反射又は透過されることによって前記短波長光を除去された上で、前記開口部より出射されることを特徴とする照明器具。
【請求項２】
前記開口部のうち、照明器具本来の投光を得るための投光開口に、前記放射光を前記短波長光を除去した上で透過させる透過部材からなる透光パネルを備え、
前記投光開口とは別の、放熱孔を含む開口部より出射される放射光が、前記短波長光を除去された放射光となるように、前記直射防止部又は選択カット部をさらに備えたことを特徴とする請求項１記載の照明器具。
【請求項３】
前記投光開口に向けて前記光放射を反射する反射部材を備え、
前記反射部材は、前記選択カット部の１つであることを特徴とする請求項１記載の照明器具。
【発明の詳細な説明】
【技術分野】
【０００１】
本発明は、昆虫等を誘引する短波長光を除去することで放射光の誘虫性を低くした照明器具に関するものである。
【背景技術】
【０００２】
一般に、多くの昆虫等では、紫外線等の短波長光に向かう走光性があることが知られている。照明器具の光源から放射される放射光は、上記のような短波長光を含んでいるため、周囲が暗いとき等に照明器具を点灯させることにより昆虫を誘引する。このようにして照明器具によって昆虫が誘引されることは、住宅、店舗、工場等の人が生活する環境において、衛生上、清掃上の理由等から望ましくないことが多い。
【０００３】
図８は、一般的な照明器具の一例を示す。この照明器具は、高輝度放電灯等の光源５１と、光源５１を収める器具外郭５２と、器具外郭５２の開口部としての投光開口５３ａと、光源５１から方々へ放射される放射光をこの投光開口５３ａに向けて反射させる反射部材５４と、金属板等からなる直射防止部材５５とを備えている。直射防止部材５５は、光源５１から投光開口５３ａに向けての光源５１からの放射光を遮るように設けられており、光源５１からの放射光が投光開口５３ａから直接に放射されないようにして、狙いの照射範囲以外への放射光の広がりを防止して所定角度より浅い仰角となる位置の観察者から見て、当該照明器具の放射光が眩し過ぎると感じられないようにしている。この照明器具は、光源５１からの放射光を、反射部材５４によって反射して、投光開口５３ａから外部へ放射する。この放射光は短波長光を含んでおり、この照明器具が点灯すると昆虫を誘引してしまう。
【０００４】
そこで、特許文献１に記載されるように、放射光が短波長光を含まないようにして昆虫を誘引しないようにした照明器具が知られている。図９は、このような低誘虫型の照明器具を示す。この照明器具は、投光開口６３ａに上記のような短波長光を除去して放射光を透過させるような透光パネル６６ａを備え、金具６９を用いて天井６０に埋め込まれて固定された状態で使用される。蛍光灯の光源６１を収める器具外郭６２には、開口部６３としての投光開口６３ａ及び放熱孔６３ｂが設けられており、透光パネル６６ａは、この投光開口６３ａを封止するように取り付けられている。この照明器具によって本来投光される放射光は、光源６１から反射部材６４によって投光開口６３ａに向けて反射され、透光パネル６６ａを透過して外部へ放射する。
【０００５】
ここで、この照明器具において、透光パネル６６ａは、透過する放射光から波長が４１０ｎｍ以下の短波長光を除去するようにされており、投光開口６３ａから外部へ放射される放射光は、透光パネル６６ａを通過するときに上記のような短波長光が除去される。図において、光源６１から出ている矢印は放射光の経路を示しており、実線部分は光源６１から放射されたままの、上記のような短波長光を含んでいる放射光を示し、点線部分は上記のような短波長光を除去された放射光を示している。この照明器具は、投光開口６３ａから外部へ放射する光放射が上記のような短波長光を含まない低誘虫性の放射光とされており、投光開口６３ａから放射する光によって昆虫を誘引しない。
【特許文献１】特開２００４−２６１１８０号公報
【発明の開示】
【発明が解決しようとする課題】
【０００６】
しかしながら、図９に示されるような従来の照明器具においては、投光開口６３ａからは低誘虫性の放射光を放射するものの、放熱孔６３ｂからは誘虫性のある放射光が漏れて放射してしまうという問題があった。図１０、図１１に、図９に示される従来の照明器具において、光源６１からの直射光が放熱孔６３ｂから放射されるまでの放射光の軌跡を矢印によって示す。この照明器具においては、図１０に示されるように、光源６１からの直射光が放熱孔６３ｂから放射したり、図１１に示されるように、光源６１からの放射光が器具外郭６２の内面で反射して放熱孔６３ｂから放射したりすることで、この放熱孔６３ｂから放射される誘虫性のある放射光に昆虫が誘引されてしまう。誘引された昆虫は照明器具内部に侵入して死に、透光パネル６６ａの内面に死骸として溜まるため、定期的に清掃する必要があり面倒であった。このような照明器具において、昆虫が誘引されるのを防ぐために、器具外郭６２を、放熱孔６３ｂを有さない密閉型とすれば、誘虫性のある放射光が外部に放射することがなくなるが、照明器具内部で発生した熱が放熱されにくく、温度上昇を防ぐためには照明器具を小型化することが困難であった。
【０００７】
本発明は、上記問題点を鑑みてなされたものであり、照明器具から外部への放射光全てを、昆虫を誘引する短波長光を含まない誘虫性の低い放射光とすることで、放熱性を確保しつつ、点灯しても昆虫を誘引することがない照明器具を提供することを目的とする。
【課題を解決するための手段】
【０００８】
上記目的を達成するため請求項１の発明は、光源と、この光源を収める器具外郭と、この器具外郭に設けられ、前記光源からの放射光を前記器具外郭の外部に出射する開口部とを備えた照明器具において、前記光源からの前記放射光の前記器具外郭外への直接放射を防止する直射防止部を光源と開口部との間に設けると共に、光源からの放射光を反射する非透過部材又は透過させる透過部材からなり、光源と開口部との間に位置して前記放射光が前記開口部から出射するまでに少なくとも一回は照射され、前記放射光が反射又は透過するときに波長が４１０ｎｍ以下の短波長光を除去する選択カット部を設け、前記放射光が前記選択カット部により反射又は透過されることによって前記短波長光を除去された上で、前記開口部より出射されるようにしたものである。
【０００９】
請求項２の発明は、請求項１の発明において、前記開口部のうち、照明器具本来の投光を得るための投光開口に、前記放射光を前記短波長光を除去した上で透過させる透過部材からなる透光パネルを備え、前記投光開口とは別の、放熱孔を含む開口部より出射される放射光が、前記短波長光を除去された放射光となるように、前記直射防止部又は選択カット部をさらに備えたものである。
【００１０】
請求項３の発明は、請求項１の発明において、前記投光開口に向けて前記光放射を反射する反射部材を備え、前記反射部材は、前記選択カット部の１つであるものである。
【発明の効果】
【００１１】
請求項１の発明によれば、放射光が、選択カット部を透過するか、選択カット部により反射されることによって、波長が４１０ｎｍ以下の短波長光を除去された上で初めて開口部より出射されるので、照明器具外部へ放射される放射光は誘虫性が低いものとなり、照明器具を点灯させても昆虫が誘引されることがなくなり、昆虫が照明器具内に侵入することを防止することが可能となる。また、これにより、器具外郭に放熱孔等を設けても誘虫することがないので、放熱性を保ったまま低誘虫型の照明器具を小型化することが可能となる。
【００１２】
請求項２の発明によれば、投光開口とは別の、放熱孔を含む開口部から、放射光が波長４１０ｎｍ以下の短波長光を除去された上で放射されるので、照明器具外部へ放射される放射光は誘虫性が低いものとなり、照明器具の放熱性を損なうことなく、昆虫を誘引することを防止することが可能となる。
【００１３】
請求項３の発明によれば、直射防止部により光源からの放射光が直接照明器具外へ放射されず、選択カット部の１つとしての反射部材によって反射されて投光開口から放射されるので、投光開口から放射される照明器具外部へ放射される放射光は誘虫性が低いものとなり、昆虫を誘引することを防止することが可能となる。投光開口を開放することが可能となり、光源からの放射光を効率良く照明器具外部に放射することが可能となる。
【発明を実施するための最良の形態】
【００１４】
以下、本発明の実施形態について図面を参照して説明する。図１は、本発明の第１の実施形態に係る照明器具を示す。この照明器具は、天井１０に取付け金具１９によって取り付けられて使用されるものであり、蛍光灯等の光源１１と、光源１１を収める器具外郭１２と、器具外郭１２に設けられ光源１１からの放射光を器具外郭１２の外部に出射する開口部１３と、光源１１の放射光を反射させる反射部材１４と、光源１１による放射光の外部への直射を防ぐ直射防止部１５と、入射する光のうち、波長が４１０ｎｍ以下の短波長光（以下、短波長光とする）を光放射から除去する選択カット部１６及び透光パネル１６ａとを備えている。
【００１５】
開口部１３には、光源１１が放射する放射光の殆どを出射して、照明器具本来の投光を得るための投光開口１３ａと、器具内の熱を外部に放熱するために設けられる放熱孔１３ｂがある。直射防止部１５は、図に示されるように、放熱孔１３ｂから光源１１からの放射光が直接出射するのを遮るように反射部材１４の上部に設けられており、金属板等の非透過部材からなり、光放射を吸収又は反射する。選択カット部１６には、本実施例において、器具外郭１２及び透光パネル１６ａの内面に設けられるものと、透光パネル１６ａとがある。器具外郭１２の内面に設けられた選択カット部１６は、短波長光を吸収するような塗料が塗られた非透過部材であり、放射光が入射すると、その短波長光を放射光から除去して反射させる。この選択カット部１６は、光源１１からの放射光が器具外郭１２の内側で反射されて放熱孔１３ｂ等の開口部１３から出射されるまでに、少なくとも一回は放射光を反射するように設けられる。また、透光パネル１６ａとしての選択カット部１６は、放射光を透過する透過部材であって、放射光が透過するときに短波長光を吸収するものである。この透光パネル１６ａは、投光開口１３ａを封止するように設けられており、放射光を透過可能なガラス、アクリル等の部材よりなり、放射光が透過するときに短波長光を吸収する。また、この透光パネル１６ａの内面は、器具外郭１２の内面と同様に、放射光が反射するときにその短波長光を除去するような選択カット部１６となっている。
【００１６】
本実施形態においては、光源１１から放射される放射光は、短波長光を除去された上で、開口部１３より出射される。図１を含め、以下に示す図における矢印は、放射光の経路を示しており、実線部分は光源から放射されたままの短波長光を含む放射光、破線部分は短波長光を除去された放射光を示している。光源１１から放射される放射光のうち、直接、又は反射部材１４によって反射されて、投光開口１３ａに向かう放射光は、投光開口１３ａに設けられた透光パネル１６ａによって短波長光を除去されて、投光開口１３ａより投光される。また、光源１１から図の上方や放熱孔１３ｂの方向へ放射される放射光のうち、光源１１から放熱孔１３ｂへ直接放射される放射光は、直射防止部１５にて遮られるので外部に直射されることがなく、放熱孔１３ｂへ放射される放射光は少なくとも一回は器具外郭１２の内面に設けられた選択カット部１６で反射されることとなる。よって、放熱孔１３ｂからは、選択カット部１６で短波長光を除去された放射光のみが放射されることとなる。ここで、図に示されるように、放射光が透光パネル１６ａの内面で反射されて開口部１３から放射することが考えられるが、このときも、反射されるときに選択カット部１６により短波長光が除去されるので、開口部１３からは短波長光を除去された放射光のみが出射されることとなる。
【００１７】
図２は、本実施形態の変形例に係る照明器具を示す。本変形例においては、直射防止部１５をが、透過部材としてからなり、放射光が透過するときに短波長光を吸収する選択カット部１６を兼ねている点が上記実施形態と相違する。この直射防止部１５の透過部材は、放射光を透過すると同時に、その短波長光を吸収するものである。図２の矢印は、図１と同様に放射光の経路を示している。このとき、図に示されるように、光源１１から放熱孔１３ｂへ放射される放射光は、直射防止部１５を透過する際に短波長光を除去される。よって、上述と同様に、開口部１３から出射される放射光は、短波長光を除去された放射光のみとなる。
【００１８】
上述のようにして、光源１１から放射される放射光は、波長が４１０ｎｍ以下の短波長光を除去された上で初めて開口部１３より出射されるので、照明器具外部へ放射される放射光は誘虫性が低いものとなり、照明器具を点灯させても昆虫が誘引されることがなくなり、昆虫が照明器具内に侵入することを防止することが可能となる。また、これにより、器具外郭に放熱孔１３ｂがあるときも誘虫することがないので、放熱対策のために器具の小型化が制限されることなく、照明器具を小型化することが可能となる。
【００１９】
図３、及び図４は、本実施形態のさらに別の変形例に係る照明器具を示す。この照明器具は、上述したような天井に埋め込まれる照明器具において、直射防止部１５を照明器具の補助反射板として兼用するものであり、上述と同様の機能を有する部材には上述と同符号を付している。図３に示す照明器具は、器具外郭１２に設けられた放熱孔１３ｂと光源１１との間を遮るように、反射部材１４の上方に、非透過部材よりなる直射防止部１５を補助反射板として設けたものである。また、図４に示す照明器具は、図３の照明器具において、直射防止部１５を、短波長光を除去した上で放射光を透過する透過部材からなる補助反射板として、選択カット部１６を兼ねるようにしたものである。この直射防止部１５は、例えば、ガラス等の透過部材に多層薄膜をコーティングすることで、特定の波長域の波長を透過してその他の波長を反射するようにするなどして実現することが可能である。
【００２０】
図３及び図４に示されるいずれの照明器具においても、器具外郭１２の内面は、短波長光を吸収する塗料が塗布されるか、多層薄膜等がコーティングされており、選択カット部１６とされている。光源１１から放射される放射光は、選択カット部１６を兼ねた直射防止部１５を透過するか、器具外郭の内面を少なくとも一回は反射することにより、誘虫性のある短波長光が除去されて初めて放熱孔１３ｂから放射される。よって、上記と同様に、放熱孔１３ｂから漏れ出る光で昆虫を誘引することがなく、昆虫が照明器具内に侵入することを防ぐことが可能となる。
【００２１】
図５は、本発明の第２の実施形態に係る照明器具を示す。この照明器具は、例えば高輝度放電灯を光源２１として使用したものであり、この光源２１と、光源２１を収める器具外郭２２と、器具外郭２２に設けられ光源２１からの放射光を器具外郭２２の外部に出射する開口部として、照明器具本来の投光を得るための投光開口２３ａと、光源２１から方々へ放射される放射光をこの投光開口２３ａに向けて反射させる反射部材２４と、光源２１から外部へ放射光が直射するのを防ぐ直射防止部２５と、短波長光を光放射から除去する選択カット部２６とを備えている。
【００２２】
直射防止部２５は、図に示されるように、光源２１からの放射光が投光開口２３ｂから直接出射するのを遮るように、光源２１の下部に設けられており、金属等の非透過部材からなり、入射する光放射を吸収又は反射して放射光が直射するのを防止することで、放射光が眩し過ぎる状態となることを防いでいる。器具外郭２２及び反射部材２４の内面は、選択カット部２６とされており、上述の第１の実施形態と同様に、入射する光のうち、短波長光を吸収するような塗料が塗られるか、多層薄膜がコーティングされており、放射光が入射すると、その短波長光を放射光から除去して反射させる。
【００２３】
この照明器具は、上記第１の実施形態のような透光パネルを用いておらず、投光開口２３ａが開放されているが、光源２１から放射される放射光は、図に示されるように、直射防止部１５に反射、吸収されることで投光開口２３から直射されることがなく、投光開口２３から放射される放射光は、全て反射部材２４及び器具外郭２２の内面にて反射されたものであり、選択カット部２６によって短波長光を除去されている放射光となる。
【００２４】
上述のようにして、光源２１からの光放射が、選択カット部２６の１つとしての反射部材２４によって反射されて投光開口２３ａから放射されるので、投光開口２３ａから外部へ放射される放射光は誘虫性が低いものとなり、昆虫を誘引することを防止することが可能となる。また、投光開口を開放することで、光源からの放射光を効率良く照明器具外部に放射することが可能となる。
【００２５】
図６は、上記第２の実施形態の変形例に係る照明器具を示す。この照明器具においては、直射防止部２５を透過部材としている。この直射防止部１２５は選択カット部２６を兼ねており、この透過部材は、透過する放射光のうち短波長光を除去するものである。このとき、図に示されるように、光源２１から放射される放射光は、直射防止部２５を透過するか、又は、選択カット部２６を反射することによって、波長が４１０ｎｍ以下の短波長光がカットされた後に投光開口２３ａより放射されることから、上記と同様の効果を得ることが可能となる。
【００２６】
図７は、上記第２の実施形態のさらに別の変形例に係る照明器具を示す。この照明器具においては、反射部材２４を透過部材としている。この反射部材２４の透過部材は、ガラス等の透過部材に多層薄膜等で構成されており、特定の波長域の波長を透過し、その他の波長を反射するものであり、多層薄膜等の構成で短波長光以外を選択反射させるか、または、短波長光を吸収する塗料を反射板内面に塗布する事により、実現できるものである。このような場合においても、上記と同様の効果を得ることが可能となる。
【００２７】
なお、本発明は上記各実施形態の構成に限定するものではなく、発明の範囲を変更しない範囲で適宜に種々の変形が可能である。例えば、投光開口を透光パネルで封止した照明器具について、上記のように天井に埋め込むような照明器具のほかにも、天井に取り付けるシーリングライトや、街路灯のような照明器具にも、直射防止部及び選択カット部を設けることにより適用することが可能である。
【図面の簡単な説明】
【００２８】
【図１】本発明の第１の実施形態に係る照明器具の側断面図。
【図２】同上の変形例に係る照明器具の側断面図。
【図３】同上の変形例に係る照明器具の半裁断面図。
【図４】同上の変形例に係る照明器具の半裁断面図。
【図５】本発明の第２の実施形態に係る照明器具の側断面図。
【図６】同上の変形例に係る照明器具の側断面図。
【図７】同上の変形例に係る照明器具の側断面図。
【図８】従来の照明器具の側断面図。
【図９】従来の誘虫性を低くした照明器具の側断面図。
【図１０】同上照明器具における放射光の経路を説明する図。
【図１１】同上照明器具における放射光の経路を説明する図。
【符号の説明】
【００２９】
１１  光源
１２  器具外郭
１３  開口部
１３ａ  投光開口
１３ｂ  放熱孔
１５  直射防止部
１６  選択カット部
１６ａ  透光パネル
２１  光源
２２  器具外郭
２３ａ  投光開口
２４  反射部材
２５  直射防止部
２６  選択カット部
【図１】
2006210079.tif 000003
【図２】
2006210079.tif 000004
【図３】
2006210079.tif 000005
【図４】
2006210079.tif 000006
【図５】
2006210079.tif 000007
【図６】
2006210079.tif 000008
【図７】
2006210079.tif 000009
【図８】
2006210079.tif 000010
【図９】
2006210079.tif 000011
【図１０】
2006210079.tif 000012
【図１１】
2006210079.tif 000013